(57)【要約】【課題】  画像表示素子における画像書き換え用の電圧を外部から入力できるコイン型記録媒体を提供する。【解決手段】  ＩＣコイン４は、記録媒体処理装置との間で有価価値情報を送受信するアンテナコイル４８と、上記有価価値情報を記録するＲＦ−ＩＤタグ５０と、電圧の印加によって画像の書き込みまたは消去が可能になる画像表示媒体４５と、ＩＣコイン４の外面に露出し、外部端子との接続により画像表示媒体４５へ印加する電圧を入力する陽極端子４７、陰極端子４６ａ・４６ｂ、とを備える。これにより、画像書き込みまたは消去のための電圧を外部から入力でき、かつ、画像の書き込みまたは消去が可能となる。【選択図】  図１
2005349039.tif 000002
【特許請求の範囲】
【請求項１】
記録媒体処理装置との間で有価度を示す有価データを送受信する送受信手段と、上記有価データを記録する記録手段とを備えるコイン型記録媒体において、
電圧の印加によって画像の書き込みまたは消去が可能になる画像表示手段と、
上記コイン型記録媒体の外面に露出し、外部端子との接続により上記画像表示手段へ印加する電圧を入力する電圧入力手段と、
を含むことを特徴とするコイン型記録媒体。
【請求項２】
上記画像表示手段に表示される画像は、上記記録媒体処理装置に備えられている画像書き込み手段によって書き込み、消去されることを特徴とする請求項１に記載のコイン型記録媒体。
【請求項３】
上記電圧入力手段は、
上記コイン型記録媒体の表面および裏面に露出し、第一タイプの電圧を入力する第一タイプの電極と、
上記コイン型記録媒体の側面に露出し、第二タイプの電圧を入力する第二タイプの電極と、
から構成されることを特徴とする請求項１または２に記載のコイン型記録媒体。
【請求項４】
上記電圧入力手段は、
上記コイン型記録媒体の表面に露出し、第一タイプの電圧を入力する第一タイプの電極と、
上記コイン型記録媒体の裏面に露出し、第二タイプの電圧を入力する第二タイプの電極と、
から構成されることを特徴とする請求項１または２に記載のコイン型記録媒体。
【請求項５】
上記電圧入力手段は、
上記コイン型記録媒体の側面における一方の半周に露出し、第一タイプの電圧を入力する第一タイプの電極と、
上記コイン型記録媒体の側面における他方の半周に露出し、第二タイプの電圧を入力する第二タイプの電極と、
から構成されることを特徴とする請求項１または２に記載のコイン型記録媒体。
【請求項６】
上記画像表示手段は、上記コイン型記録媒体の内部に備えられる第一画像表示媒体であり、
上記コイン型記録媒体の表面または裏面における上記第一画像表示媒体と対向する部分は、透過性部材から構成されていることを特徴とする請求項１ないし５のいずれか１項に記載のコイン型記録媒体。
【請求項７】
上記画像表示手段は、上記コイン型記録媒体の内部に備えられる第一画像表示媒体と第二画像表示媒体とから構成され、
上記第一画像表示媒体は、上記コイン型記録媒体の表面に形成されている透過性部材と対向配置し、
上記第二画像表示媒体は、上記コイン型記録媒体の裏面に形成されている透過性部材と対向配置することを特徴とする請求項１ないし５のいずれか１項に記載のコイン型記録媒体。
【請求項８】
上記第一タイプの電極および第二タイプの電極は、ステンレス合金から構成されていることを特徴とする請求項１ないし５のいずれか１項に記載のコイン型記録媒体。
【請求項９】
上記透過性部材は、ＰＥＴから構成されることを特徴とする請求項６または７に記載のコイン型記録媒体。
【請求項１０】
上記画像書き込み手段は、上記コイン型記録媒体に送信する有価データに基づいて、上記画像表示手段に画像を書き込むことを特徴とする請求項２に記載のコイン型記録媒体。
【請求項１１】
請求項１ないし１０のいずれか１項に記載のコイン型記録媒体を所定位置に格納する格納部と、
上記画像表示手段へ画像を書き込む画像書き込み手段と、
上記所定位置に格納されたコイン記録媒体の電圧入力手段と接続することにより、該電圧入力手段へ電圧を印加する電圧印加手段と、
を含むことを特徴とする記録媒体処理装置。
【請求項１２】
上記画像書き込み手段は、
上記所定位置に格納されたコイン型記録媒体の表面に対向する位置、および該コイン型記録媒体の裏面に対向する位置に備えられていることを特徴とする請求項１１に記載の記録媒体処理装置。
【発明の詳細な説明】
【技術分野】
【０００１】
本発明は、有価データの記録、書き換えが可能なコイン型記録媒体、コイン型記録媒体との間で情報の送受信を行う記録媒体処理装置に関する。
【背景技術】
【０００２】
従来から、パチンコ機やスロットマシン等の遊技機において、情報を記録できるＩＣカード等のコイン型記録媒体が用いられている。これらの遊技機には情報処理装置が設けられ、この情報処理装置は、上記記録媒体から、ユーザの有する有価度を示す有価データ（金銭、パチンコ玉の数、メダルの数を示すデータ）の読み出し／書き込みを実行している（例えば、以下に示す特許文献１〜３参照）。
【０００３】
具体的に説明すると、利用者は、遊技を行う際、遊技機に設けられている情報処理装置に記録媒体を投入する。そして、この情報処理装置が、投入された記録媒体から上記有価データを読み出すと共に、この有価データを表示パネル等に表示する。これにより、利用者は、遊技可能なパチンコ球の数、メダル数を把握できる。
【０００４】
さらに、情報処理装置は、遊技終了後に残存しているパチンコ球の数、メダル数等を有価データとして記録媒体に書き込み、この記録媒体を利用者に返却する。これにより、ユーザはパチンコ玉やメダル等を遊技機に投入する代わりに、記録媒体を投入することにより遊技を行うことができる。
【０００５】
以上に示した遊戯機に使用される記録媒体では、遊技後に利用者に返却された記録媒体には、遊技後に残存している有価度を示す有価データが書き込まれるものの、この有価度は記録媒体上において表示されない。したがって、遊技後の利用者は、自身の有価データを確認するためには、再度、コイン型記録媒体を上記の情報処理装置へ投入するか、コイン型記録媒体の精算機に投入しなければならず、手間が生じる。
【０００６】
この点、熱可逆性インクまたは磁性紛によって画像を表示する可変表示部をコイン型記録媒体に備えることにより、コイン型記録媒体に記録される有価データを利用者に表示できる技術が開示されている（特許文献４）。これにより、電源不要で記録媒体上に画像の表示を続けることができ、遊技後の利用者は、このコイン記録媒体の表示部から自身の有価データを確認することが可能となる。
【特許文献１】特開２００２−３１２７４５号公報（公開日：平成１４年１０月２５日）
【特許文献２】特開２００２−７９８９号公報（公開日：平成１４年１月１１日）
【特許文献３】特開２００１−３００１１４号公報（公開日：平成１３年１０月３０日）
【特許文献４】特開２００１−６２１２３号公報（公開日：平成１３年３月１３日）
【特許文献５】特開２０００−１１１９４２号公報（公開日：平成１２年４月２１日）
【発明の開示】
【発明が解決しようとする課題】
【０００７】
これに対し、最近では、画像の書き込み時のみ電圧を印加することで画像の書き換えができ、かつ、無電源状態でこの画像を保持できる画像表示媒体が開発されている（上記の特許文献５参照）。上述したコイン型記録媒体に対してこのような画像表示媒体を適用する場合、電源不要で記録媒体上に画像の表示を続けることができるため、遊技後の利用者は、このコイン記録媒体に備えられた画像表示媒体から自身の有価データを確認することができるものと考えられる。しかしながら、画像表示媒体を上記コイン型記録媒体に構成する場合、画像の書き込み時に必要な電圧を外部からコイン型記録媒体へ入力しなければ、表示する有価データの書き換えを行うことができないという問題が生じる。
【０００８】
本発明は、以上の問題に鑑みてなされたものであり、画像表示素子における画像書き換え用の電圧を外部から入力できるコイン型記録媒体、記録媒体処理装置を提供することを目的とする。
【課題を解決するための手段】
【０００９】
以上の目的を達成するために、本発明のコイン型記録媒体は、記録媒体処理装置との間で有価度を示す有価データを送受信する送受信手段と、上記有価データを記録する記録手段とを備えるコイン型記録媒体において、電圧の印加によって画像の書き込みまたは消去が可能になる画像表示手段と、上記コイン型記録媒体の外面に露出し、外部端子との接続により上記画像表示手段へ印加する電圧を入力する電圧入力手段と、を含むことを特徴とする。
【００１０】
上記構成によれば、記録媒体処理装置との間で有価データの送受信および記録を行うコイン型記録媒体において、上記コイン型記録媒体上に露出し、外部端子との接続により電圧を入力する電圧入力手段が備えられている。したがって、上記コイン型記録媒体において、電圧の印加によって画像の書き込みまたは消去が可能になる画像表示手段を備える場合であっても、画像書き込みまたは消去のための電圧を外部から入力でき、かつ、画像の書き込みまたは消去が可能となる。
【００１１】
本発明のコイン型記録媒体は、上記構成に加えて、上記画像表示手段に表示される画像は、上記記録媒体処理装置に備えられている画像書き込み手段によって書き込み、消去されることを特徴とする。
【００１２】
上記構成によれば、上記画像表示手段に表示される画像を書き込み、消去するための画像書き込み手段が、上記記録媒体処理装置に備えられている。これにより、コイン型記録媒体は、上記記録媒体処理装置との間で有価データの送受信を行うと共に、上記記録媒体処理装置によって画像表示手段の画像の書き込み、消去を行うことが可能になる。
【００１３】
本発明のコイン型記録媒体は、上記構成に加えて、上記電圧入力手段は、上記コイン型記録媒体の表面および裏面に露出し、第一タイプの電圧を入力する第一タイプの電極と、上記コイン型記録媒体の側面に露出し、第二タイプの電圧を入力する第二タイプの電極と、から構成されることを特徴とする。
【００１４】
上記構成によれば、上記コイン型記録媒体の側面に第二タイプの電極が露出されると共に、上記コイン型記録媒体の表面および裏面に第一タイプの電極が露出されている。したがって、例えば、画像書き込み時にコイン型記録媒体を格納する位置において、コイン型記録媒体の表面または裏面と接触する位置に第一タイプの電圧を印加する端子を備え、コイン型記録媒体の側面と接触する位置に第二タイプの電圧を印加する端子を備えれば、上記格納する位置においてコイン型記録媒体の表裏を反転させても、コイン型記録媒体に第一タイプの電圧と第二タイプの電圧とを入力することができる。
【００１５】
なお、第一タイプおよび第二タイプの電圧とは、陽極の電圧または陰極の電圧を意味するが、第一タイプの電圧が陽極の電圧の場合、第二タイプの電圧は陰極の電圧となり、第一タイプの電圧が陰極の電圧の場合、第二タイプの電圧は陽極の電圧となる。
【００１６】
本発明のコイン型記録媒体は、上記構成に加えて、上記電圧入力手段は、上記コイン型記録媒体の表面に露出し、第一タイプの電圧を入力する第一タイプの電極と、上記コイン型記録媒体の裏面に露出し、第二タイプの電圧を入力する第二タイプの電極と、から構成されることを特徴とする。
【００１７】
上記構成によれば、上記コイン型記録媒体の表面に第一タイプの電極が露出されると共に、上記コイン型記録媒体の裏面に第二タイプの電極が露出されている。したがって、例えば、画像書き込み時にコイン型記録媒体を格納する位置において、コイン型記録媒体の表面と接触する位置に第一タイプの電圧を印加する端子を備え、コイン型記録媒体の裏面と接触する位置に第二タイプの電圧を印加する端子を備えれば、コイン型記録媒体に第一タイプの電圧と第二タイプの電圧とを入力することができる。
【００１８】
本発明のコイン型記録媒体は、上記構成に加えて、上記電圧入力手段は、上記コイン型記録媒体の側面における一方の半周に露出し、第一タイプの電圧を入力する第一タイプの電極と、上記コイン型記録媒体の側面における他方の半周に露出し、第二タイプの電圧を入力する第二タイプの電極と、から構成されることを特徴とする。
【００１９】
上記構成によれば、上記コイン型記録媒体の側面における一方の半周に第一タイプの電極が露出されると共に、上記コイン型記録媒体の側面における他方の半周に第二タイプの電極が露出される。したがって、例えば、画像書き込み時にコイン型記録媒体を格納する位置において、コイン型記録媒体の直径を挟んで対向するように、第一タイプの電圧を印加する端子と第二タイプの電圧を印加する端子とを構成すれば、コイン型記録媒体に第一タイプの電圧と第二タイプの電圧とを入力することができる。
【００２０】
本発明のコイン型記録媒体は、上記構成に加えて、上記画像表示手段は、上記コイン型記録媒体の内部に備えられる第一画像表示媒体であり、上記コイン型記録媒体の表面または裏面における上記第一画像表示媒体と対向する部分は、透過性部材から構成されていることを特徴とする。
【００２１】
上記構成によれば、上記コイン型記録媒体の内部に第一画像表示媒体が備えられていると共に、上記コイン型記録媒体の表面または裏面における上記第一画像表示媒体と対向する部分は、透過性部材から構成されている。したがって、上記コイン型記録媒体によれば、表面または裏面から外部へ向けて画像を表示する片面表示が可能となる。
【００２２】
本発明のコイン型記録媒体は、上記構成に加えて、上記画像表示手段は、上記コイン型記録媒体の内部に備えられる第一画像表示媒体と第二画像表示媒体とから構成され、上記第一画像表示媒体は、上記コイン型記録媒体の表面に形成されている透過性部材と対向配置し、上記第二画像表示媒体は、上記コイン型記録媒体の裏面に形成されている透過性部材と対向配置することを特徴とする。
【００２３】
上記構成によれば、上記コイン型記録媒体の内部に備えられている第一画像表示媒体は、コイン型記録媒体の表面に形成されている透過性部材と対向配置し、上記コイン型記録媒体の内部に備えられている第二画像表示媒体は、コイン型記録媒体の裏面に形成されている透過性部材と対向配置する。したがって、上記コイン型記録媒体によれば、表面および裏面から外部へ向けて画像を表示する両面表示が可能となる。
【００２４】
本発明のコイン型記録媒体は、上記構成に加えて、上記第一タイプの電極および第二タイプの電極は、ステンレス合金から構成されていることを特徴とする。
【００２５】
上記構成によれば、第一タイプの電極および第二タイプの電極は、上記コイン型記録媒体上に露出されているが、ステンレス合金から構成されているため、これら電極の腐食を抑制できる。
【００２６】
本発明のコイン型記録媒体は、上記構成に加えて、上記透過性部材は、ＰＥＴから構成されることを特徴とする。
【００２７】
上記構成によれば、上記透過性部材はＰＥＴ（polyethylene terephthalate）から構成される。したがって、第一および第二画像表示媒体がＰＥＴに覆われているため、外部から視認可能であると共に、外部から保護されることとなる。
【００２８】
本発明のコイン型記録媒体は、上記構成に加えて、上記画像書き込み手段は、上記コイン型記録媒体に送信する有価データに基づいて、上記画像表示手段に画像を書き込むことを特徴とする。
【００２９】
上記構成によれば、上記画像書き込み手段は、上記コイン型記録媒体に送信する有価データに基づいて、上記画像表示手段に画像を書き込んでいるため、コイン型記録媒体に記録される有価データの内容と、上記画像表示手段の表示内容とは一致することになる。これにより、利用者からすれば、コイン型記録媒体に表示される画像を視認するだけで、コイン型記録媒体の有価価値を認識することが可能となる。
【００３０】
以上の目的を達成するために、本発明の記録媒体処理装置は、上記コイン型記録媒体を所定位置に格納する格納部と、上記画像表示手段へ画像を書き込む画像書き込み手段と、上記所定位置に格納されたコイン記録媒体の電圧入力手段と接続することにより、該電圧入力手段へ電圧を印加する電圧印加手段と、を含むことを特徴とする。
【００３１】
上記構成によれば、上記所定位置に格納されたコイン記録媒体の電圧入力手段と接続することにより、該電圧入力手段へ電圧を印加する電圧印加手段が備えられている。したがって、上記記録媒体処理装置は、所定位置に格納した記録媒体処理装置の画像表示手段に対し、電圧の印加を印加することができ、これにより、上記画像表示手段への画像の書き込みが可能となる。
【００３２】
本発明の記録媒体処理装置は、上記構成に加えて、上記画像書き込み手段は、上記所定位置に格納されたコイン型記録媒体の表面に対向する位置、および該コイン型記録媒体の裏面に対向する位置に備えられていることを特徴とする。
【００３３】
上記構成によれば、上記画像書き込み手段は、上記所定位置に格納されたコイン型記録媒体の表面に対向する位置、および該コイン型記録媒体の裏面に対向する位置に備えられている。したがって、上記画像表示手段が上記コイン型記録媒体の表面側または裏面側のいずれに位置していても、画像の書き込みが可能になる。
【発明の効果】
【００３４】
以上のように、本発明のコイン型記録媒体は、電圧の印加によって画像の書き込みまたは消去が可能になる画像表示手段と、上記コイン型記録媒体の外面に露出し、外部端子との接続により上記画像表示手段へ印加する電圧を入力する電圧入力手段と、を含む構成である。
【００３５】
それゆえ、画像書き込みまたは消去のための電圧を外部から入力でき、かつ、画像の書き込みまたは消去が可能になるという効果を奏する。
【００３６】
以上のように、本発明の記録媒体処理装置は、上記コイン型記録媒体を所定位置に格納する格納部と、上記画像表示手段へ画像を書き込む画像書き込み手段と、上記所定位置に格納されたコイン記録媒体の電圧入力手段と接続することにより、該電圧入力手段へ電圧を印加する電圧印加手段と、を含む構成である。
【００３７】
それゆえ、所定位置に格納した記録媒体処理装置の画像表示手段に対し、電圧の印加を印加することができ、上記画像表示手段への画像の書き込みが可能になるという効果を奏する。
【発明を実施するための最良の形態】
【００３８】
〔実施の形態１〕
本発明の一実施形態について図１ないし図１４に基づいて説明すると以下の通りである。
【００３９】
（システム構成）
まず、本実施形態に係る遊技機システム１について図２に基づいて説明する。図２に示すように、遊技機システム１は、玉貸機２と、この玉貸機２の横に備えられるパチンコ台３とから構成される。この遊技機システム１は、有価価値情報（有価データ）が記録されているＩＣコイン（図１参照）４を用いて、ユーザに対してパチンコ遊技サービスを提供するものである。
【００４０】
玉貸機２は、ＩＣコイン（コイン型記録媒体）４に対して、情報の読み出し処理および書き込み処理を行う機能を有するものである。パチンコ台３は、玉貸機２においてＩＣコイン４から読み出された有価価値情報に応じてパチンコ遊技処理が行われる装置である。このパチンコ台３は、玉貸機２と有線による通信が行われるようになっている。なお、本実施の形態における有価価値情報とは、ＩＣコイン４の有価度を示すデータであって、金銭価値に関する情報とするが、この情報に限られるものではなく、例えば、利用可能な遊技玉の数に関する情報であっても構わない。
【００４１】
また、本実施形態では、遊技機としてパチンコ台３を用いた例を示しているが、これに限定されるものではなく、有価価値情報に基づいて遊技が行われる遊技機であればどのような遊技機であってもよい。例えば、遊技機として、いわゆるパチスロ台、ゲームセンタにおけるゲーム機器であってもよい。
【００４２】
（玉貸について）
上述した玉貸機２の外表面には、図２に示すように、紙幣投入口５、ＩＣコイン投入口６、およびＩＣコイン返却口７が設けられている。また、パチンコ台３の外表面には、玉貸表示部８、玉貸入力部９、および返却スイッチ１０が設けられている。
【００４３】
紙幣投入口５は、現金によって遊技が行われる場合に、ユーザによって現金としての紙幣が投入される投入口である。この紙幣投入口５は、ユーザに対して紙幣の返却が行われる際にも用いられる。
【００４４】
ＩＣコイン投入口６は、利用者がパチンコ台３において遊技を行う際、ＩＣコイン４を玉貸機２内部に設けられる記録媒体処理装置（後述）へ投入するための開口部である。ＩＣコイン返却口７は、利用者がパチンコ台３における遊技を終了する際、この利用者に対してＩＣコイン４を返却するための開口部である。なお、本実施の形態においては、ＩＣコイン投入口６とＩＣコイン返却口７とを別々に構成しているが、投入口と返却口とを同一の開口部により構成しても構わない。
【００４５】
玉貸表示部８は、ＩＣコイン４に記録されている有価価値情報に示される金銭価値から換算される遊技玉の数に関する情報を表示するパネルである。
【００４６】
玉貸入力部９は、利用遊技玉数（玉貸し数）の入力などが行われるものである。ここで利用遊技玉数が入力されると、その数の遊技玉がパチンコ台３に供給される。そして、玉貸表示部８に表示される利用可能な遊技玉の数が、パチンコ台３に供給された数だけ減少する。また、ＩＣコイン４に記録されている有価価値情報は、パチンコ台３に供給された数だけ金銭価値が減少するように更新される。
【００４７】
返却スイッチ１０は、ユーザからの返却指示を入力するスイッチである。この返却スイッチ１０がユーザによって押されると、投入されているＩＣコイン４がユーザに対して返却される。
【００４８】
玉貸機２は、以上のように、ＩＣコイン４による料金徴収を行い、これに基づいてパチンコ台３に対するパチンコ玉の供給を制御するものである。ここで、玉貸機２は、その内部に遊技玉供給制御装置（不図示）、および記録媒体処理装置２０を備えている。遊技玉供給制御装置は、ＩＣコイン４による料金収受に基づいてパチンコ玉の供給を制御する装置である。記録媒体処理装置２０は、ＩＣコイン４による料金収受、および玉貸機２およびパチンコ台３における各種構成を制御する装置である。以下では、ＩＣコイン４および記録媒体処理装置２０に関して詳細に説明する。
【００４９】
（ＩＣコイン４の構成）
まず、ＩＣコイン４の構成について説明する。ＩＣコイン４は、図３に示すように、コイン形状をした記録媒体であって、記録媒体処理装置２０との間で有価価値情報を無線により送受信し、この有価価値情報を記録することが可能な媒体である。また、ＩＣコイン４には、画像を表示する画像表示媒体が備えられる。
【００５０】
また、ＩＣコイン４は、パチンコ台３においてユーザが遊技を行う場合に必要なものであり、有価価値情報を記録するコイン形状の記録媒体である。さらに、ＩＣコイン４に記録される有価価値情報に示される金銭価値は、ユーザが玉貸を受ける度に減少するように更新され、金銭価値がゼロになった後のＩＣコイン４は玉貸機２に回収される。ユーザはさらに遊技を続行する場合は、新たにＩＣコイン４を購入することになる。
【００５１】
なお、本実施形態では、ＩＣコイン４は有価価値情報が使い切られた後に回収される構成としているが、これに限定されるものではない。例えば、料金の支払いを条件として、精算機等においてＩＣコイン４の有価価値情報に示される金銭価値を増加させ、同一のＩＣコイン４を繰り返し利用可能な構成にしてもよい。
【００５２】
つぎに、本実施の形態におけるＩＣコイン４の構成を具体的に説明する。図１は、ＩＣコイン４の分解斜視図である。
【００５３】
図１に示すように、ＩＣコイン４は、互いに半径の等しい円盤状部材である前カバー４１、コイン本体４２、後カバー４４が、この順序で重ねて形成される構成である。なお、同図においては、コイン本体４２が２つ示されているが、これは、コイン本体４２における一方の面と他方の面とを示したものであり、実際にはコイン本体４２は１つである。
【００５４】
コイン本体４２には、その一方の面において、直径がコイン本体４２よりも小さな円盤状の画像表示媒体４５と、画像表示媒体４５の外周を一周するように形成されるリング状の陰極端子４６ａと、が形成されている。また、コイン本体４２には、他方の面において、直径がコイン本体４２よりも小さな円盤状のアンテナコイル４８と、アンテナコイル４８の外周を一周するように形成されるリング状の陰極端子４６ｂと、アンテナコイル４８上に実装されているＲＦ−ＩＤタグ５０と、が形成されている。なお、コイン本体４２の側面を一周するように陽極端子４７が形成されている。
【００５５】
ここで、画像表示媒体４５は、電圧が印加されると共に光が照射されることにより画像の書き込み、消去が可能になると共に、画像の書き込み後は無電源状態で画像を保持する表示媒体である。本実施の形態では、画像表示媒体４５として富士ゼロックス社製のE-paper（登録商標）が用いられる。この画像表示媒体４５は、有機光導電層と、コレステリック液晶から構成される液晶表示層とを２つの基材フィルム間に挟んだ構造である。この構造によれば、発光パネル等の画像書込装置（後述する）からの光照射の有無により有機光導電層の抵抗を変化させ、この抵抗の変化により電圧印加状態の液晶表示層の分圧を制御する。これにより、液晶表示層に画像を形成することができると共に、液晶表示層を無電源状態にしても画像を保持することが可能となる。なお、本実施の形態では、画像表示媒体として上記のE-paperを使用しているが、これに限定されるものではなく、電圧が印加されることにより画像の書き込みが可能になる表示媒体であればいかなるものであっても構わない。
【００５６】
陰極端子４６ａ・４６ｂおよび陽極端子４７は、導電性金属からなる電極であり、ＩＣコイン４上に露出し、外部端子との接続により電圧を入力すると共に、この電圧を画像表示媒体４５の液晶表示層へ印加するものである。なお、陰極端子４６ａ・４６ｂおよび陽極端子４７は外部に露出されるため、これら端子をステンレス合金によって形成すれば、腐食を抑制することが可能となる。
【００５７】
アンテナコイル（送受信手段）４８は、記録媒体処理装置２０との間で有価価値情報を無線により送受信するための通信用のアンテナである。ＲＦ−ＩＤタグ（記録手段）５０は、上記の有価価値情報を記録可能な集積回路デバイスであって、アンテナコイル４８が有価価値情報を受信すると、受信した有価価値情報を更新記録する。
【００５８】
前カバー４１は、ＩＣコイン４の内部を保護するためのカバー部材であって、直径が前カバー４１よりも小さな円盤状の透明カバー５１と、透明カバー５１の外周を一周するように開口されている電極窓５３と、から構成されている。なお、以下では、ＩＣコイン４における前カバー４１側の面をＩＣコイン４の表面とする。
【００５９】
後カバー４４は非透明の樹脂部材であって、ＩＣコイン４内部を保護するためのカバー部材である。また、この後カバー４４には、内周を一周するように開口されている電極窓５４が配されている。なお、以下では、ＩＣコイン４における後カバー４４側の面をＩＣコイン４の裏面とする。
【００６０】
また、コイン本体４２における画像表示媒体４５および陰極端子４６ａが形成されている側の面は、前カバー４１と対向配置されている。そして、前カバー４１において、画像表示媒体（第一画像表示媒体、画像表示手段）４５と対向する位置には透明カバー（透過性部材）５１が形成され、陰極端子４６ａと対向する位置には電極窓５３が配されている。
【００６１】
さらに、コイン本体４２における陰極端子４６ｂが形成されている側の面は、後カバー４４と対向配置されている。また、後カバー４４において、陰極端子４６ｂと対向する位置には電極窓５４が配されている。
【００６２】
以上の構成において、前カバー４１、コイン本体４２、後カバー４４を重ね合わせてＩＣコイン４を形成すれば、図３に示すように、ＩＣコイン４の表面（前カバー４１側の面）において、電極窓５３を介して陰極端子（第一タイプの電極、電圧入力手段）４６ａが外部に露出される。また、ＩＣコイン４の裏面（後カバー４４側の面）において、電極窓５４を介して陰極端子（第一タイプの電極、電圧入力手段）４６ｂが外部に露出される。さらに、ＩＣコイン４の側面には、陽極端子（第二タイプの電極、電圧入力手段）４７が外部に露出されている。
【００６３】
また、ＩＣコイン４の表面（前カバー４１側）において、透明カバー５１を介して外部から画像表示媒体４５を視認できるようになる。つまり、透明カバー５１は、画像表示媒体４５を外部から視認可能にすると共に、外部から保護するカバー部材としての機能を有する。なお、透明カバー５１は、ＰＥＴ（polyethylene terephthalate）から構成されることとするが、ＰＥＴに限定されるものではなく、透過性を有する部材であればいかなる部材であっても構わない。
【００６４】
（記録媒体処理装置２０の構成）
つぎに、図３に示す記録媒体処理装置２０の構成について説明する。記録媒体処理装置２０は、ＩＣコイン投入口６から投入され、記録媒体処理装置２０内のＨＰ(Home Position，所定位置)に格納されたＩＣコイン４との間で、有価価値情報を無線により送受信すると共に、玉貸機２およびパチンコ台３における各種構成を制御する機能を有する装置である。また、記録媒体処理装置２０は、ＩＣコイン４における画像表示媒体４５に対して画像を書き込む機能を有するものである。
【００６５】
図４は、図３に示す記録媒体処理装置２０の分解斜視図である。記録媒体処理装置２０は、図４に示すように、筐体６１と筐体６２とを重ね合わせて構成される。なお、図４によれば、筐体６２が２つ示されているが、これは、筐体６２における一方の面と他方の面とを示したものであり、実際には筐体６２は１つである。
【００６６】
筐体６２における筐体６１側の面には、通路６４、投入センサ６５、返却センサ６６、陽極端子６７、陰極端子６８、ストッパ６９が構成されている。
【００６７】
通路（格納部）６４は、ＩＣコイン４の移動通路である。ＩＣコイン投入口６から投入されたＩＣコイン４は、自重によって通路６４を移動し、ＩＣコイン４のＨＰ、すなわち、通路６４から投入されたＩＣコイン４を受け止める位置に到達する。
【００６８】
ストッパ６９は、上記のＨＰ付近に設けられており、ＩＣコイン投入口６から投入されたＩＣコイン４をＨＰに貯留させるためのピンである。図５に示すように、ストッパ６９が突出した状態では、ＩＣコイン投入口６から投入されたＩＣコイン４は、ストッパ６９に支持されることによってＨＰに貯留する。また、ストッパ６９が没入した状態では、ＩＣコイン４はＩＣコイン返却口７または回収箱（不図示）へ移動することになる。
【００６９】
投入センサ６５は、ＩＣコイン投入口６の近傍に設けられているセンサであって、ＩＣコイン投入口６からのＩＣコイン４の投入を検知するためのものである。
【００７０】
返却センサ６６は、通路６４におけるＩＣコイン返却口７の近傍に設けられているセンサであって、ＩＣコイン４の返却を検知するためのものである。
【００７１】
陽極端子（電圧印加手段）６７は、ＩＣコイン４が上記のＨＰに貯留する場合に、当該ＩＣコイン４の側面を構成する陽極端子４７に接続する位置に備えられている電圧印加用の電極である。この陽極端子６７から出力される電圧は、ＩＣコイン４の陽極端子４７へ印加される。なお、陽極端子４７はＩＣコイン４の側面を一周するように設けられているため、上記のＨＰにおけるＩＣコイン４の側面のいずれかの箇所と接触する位置に陽極端子６７を備えておけば、ＩＣコイン４がＨＰに貯留された時の回転方向に拘わらず、陽極端子６７は、陽極端子４７と接触した状態となる。
【００７２】
陰極端子（電圧印加手段）６８は、ＩＣコイン４が上記のＨＰに貯留する場合に、当該ＩＣコイン４の陰極端子４６ａまたは４６ｂに接続する位置に備えられている電圧印加用の電極である。つまり、陰極端子６８は、ＨＰに貯留しているＩＣコイン４の表面が筐体６２側に向いている場合において、ＩＣコイン４がＨＰに貯留された時の回転方向に拘わらず、当該ＩＣコイン４の陰極端子４６ａと接触する位置に設けられている。また、陰極端子６８は、ＨＰに貯留しているＩＣコイン４の裏面が筐体６２側に向いている場合において、ＩＣコイン４がＨＰに貯留された時の回転方向に拘わらず、当該ＩＣコイン４の陰極端子４６ｂと接触する位置に設けられている。つまり、ＩＣコイン４の表面において、陰極端子４６ａがこの表面の内周を一周するように設けられ、ＩＣコインの裏面において、陰極端子４６ｂがこの裏面の内周を一周するように設けられているため、陰極端子６８は，必ず陰極端子４６ａまたは４６ｂのいずれかと接触する。なお、陰極端子６８から出力される電圧は、ＩＣコイン４の陰極端子４６ａまたは４６ｂへ印加される。
【００７３】
また、筐体６１には、送受信装置７０および画像書込装置７１ａが備えられている。
【００７４】
送受信装置７０は、上記のＨＰに貯留されているＩＣコイン４のアンテナコイル４８との間で有価価値情報の送受信（無線通信）を行う装置である。
【００７５】
画像書込装置（画像書き込み手段）７１ａは、上記のＨＰに貯留されているＩＣコイン４の画像表示媒体４５に対し、光を照射することにより、画像表示媒体４５に画像を書き込む制御を行う発光パネルである。具体的には、ＨＰに貯留しているＩＣコイン４の表面が筐体６１側に向いている場合、画像書込装置７１ａはＩＣコイン４の表面と対向する。この場合、画像書込装置７１ａは、透明カバー５１を介して、画像表示媒体４５に光を照射することができる。そして、画像書込装置７１ａから照射される光によって、画像表示媒体４５に画像が書き込まれる。
【００７６】
また、図４に示すように、筐体６２における筐体６１と反対側の面には、電源供給装置７２、ソレノイド７３、画像書込装置７１ｂが構成されている。
【００７７】
電源供給装置７２は、陽極端子６７、陰極端子６８に対し、電源電圧を供給するＤＣ（direct current）電源である。
【００７８】
ソレノイド７３は、ストッパ６９を駆動するための駆動源であって、ソレノイド７３を駆動制御することによってストッパ６９の突出／没入を切り換えることが可能となる。なお、ストッパ６９を駆動制御する駆動源としては、ソレノイドに限らず、モータなどであってもよい。
【００７９】
画像書込装置（画像書き込み手段）７１ｂは、画像書込装置７１ａと同様、上記のＨＰに貯留されているＩＣコイン４の画像表示媒体４５に対して光を照射することにより、画像表示媒体４５に画像を書き込む制御を行う発光パネルである。具体的には、ＨＰに貯留しているＩＣコイン４の表面が筐体６２側に向いている場合、画像書込装置７１ｂは、ＩＣコイン４の表面と対向する。この場合、画像書込装置７１ａは、透明カバー５１を介して、画像表示媒体４５に光を照射することができる。そして、画像書込装置７１ａから照射される光によって、画像表示媒体４５に画像が書き込まれる。
【００８０】
つまり、ＩＣコイン４の表面と画像書込装置７１ａとが対向する場合は、ＩＣコイン４の裏面と画像書込装置７１ｂとが対向し、ＩＣコイン４の裏面と画像書込装置７１ａとが対向する場合は、ＩＣコイン４の表面と画像書込装置７１ｂとが対向する。言い換えると、記録媒体処理装置２０には、ＨＰに貯留されたＩＣコイン４の表面に対向する位置および、裏面に対向する位置の双方に画像書込装置７１が備えられている。したがって、ＩＣコイン４における表面または裏面が、筐体６１・６２のいずれと対向している場合であっても、透明カバー５１を介して画像表示媒体４５に光を照射することにより画像を書き込むことが可能となる。
【００８１】
以上で説明した記録媒体処理装置２０における電源供給装置７２、投入センサ６５、返却センサ６６、陽極端子６７、陰極端子６８、送受信装置７０、画像書込装置７１、ソレノイド７３は、図６に示すように、制御部８０によって一括制御される。
【００８２】
つまり、制御部８０は、送受信装置７０およびアンテナコイル４８を介して、ＲＦ−ＩＤタグ５０に記録されている有価価値情報の読み出し処理を行う、そして、制御部８０は、読み出した有価価値情報を、図６に示す記憶部８１に記憶する。
【００８３】
さらに、制御部８０は、玉貸機２において玉貸処理が行われる度に、記憶部８１に記憶されている有価価値情報を更新すると共に、ＲＦ−ＩＤタグ５０に記録されている有価価値情報の更新処理を行う。また、制御部８０は、陰極端子４６・６８および陽極端子４７・６７を介して画像表示媒体４５に電圧を印加すると共に、画像書込装置７１を駆動することにより、画像表示媒体４５に対して画像を書き込むこともできる。
【００８４】
（処理の流れ）
つぎに、本実施の形態における記録媒体処理装置２０の全体処理の流れについて、図７に基づいて説明する。まず、利用者がＩＣコイン投入口６からＩＣコイン４を投入すると、制御部８０は、投入センサ６５からの出力によってＩＣコイン４の投入を検知し（Ｓ１においてＹＥＳ）、ソレノイド７３を駆動してストッパ６９を突出させる。これにより、図５に示すように、投入されたＩＣコイン４は、ＨＰに貯留する（Ｓ２）。
【００８５】
つぎに、制御部８０は、ＨＰに貯留されているＩＣコイン４に記録されている有価価値情報の読み出し処理を実行する（Ｓ３）。
【００８６】
その後、制御部８０は、玉貸入力部９からの玉貸指示の有無を判定する（Ｓ４）。ここで、玉貸指示がある場合（Ｓ４においてＹＥＳ）、制御部８０は玉貸時処理を行う（Ｓ５）。そして、Ｓ５における玉貸時処理が行われた後はＳ４の処理が繰り返される。なお、玉貸指示がない場合、Ｓ６へ処理を移行する（Ｓ４においてＮＯ）。
【００８７】
Ｓ６において、制御部８０は、返却スイッチ１０からの返却指示の入力の有無を判定する。ここで、返却スイッチ１０から返却指示があると（Ｓ６においてＹＥＳ）、制御部８０はＩＣコイン返却処理を行う（Ｓ７）。そして、ＩＣコイン返却処理が行われた後は、Ｓ１へ戻り、以上示した処理が繰り返される。なお、返却スイッチ１０からの返却指示がない場合は（Ｓ６においてＮＯ）、Ｓ４の処理が繰り返される。
【００８８】
つぎに、図７におけるＳ３の有価価値情報の読み出し処理について、さらに詳細に説明する。図８は、Ｓ３における有価価値情報の読み出し処理の詳細を示したフローチャートである。
【００８９】
まず、制御部８０は、ＩＣコイン４に対して、送受信装置７０およびアンテナコイル４８を介して、ＲＦ−ＩＤタグ５０に記録されている有価価値情報の読み出しを行う（Ｓ１１）。なお、制御部８０は、記憶部８１にこの有価価値情報を記録する。また、制御部８０は、記憶部８１に記憶した有価価値情報に示される金銭価値から換算される遊技球の数を玉貸表示部８に表示する（Ｓ１２）。
【００９０】
さらに、制御部８０は、記憶部８１に記録した有価価値情報を解析し、この有価価値情報の示す金銭価値（残高）がゼロか否かを判定する（Ｓ１３）。ここで、金銭価値がゼロである場合（Ｓ１３においてＹＥＳ）、制御部８０はＩＣコイン回収処理を実行する（Ｓ１４）。
【００９１】
ここで、ＩＣコイン回収処理に移行した制御部８０は、ソレノイド７３を駆動することにより、ストッパ６９を没入させる。また、これと同時に、ＩＣコイン４が回収箱へ移動するように、通路６４におけるＩＣコイン４の移動経路を切り替える。これにより、ＩＣコイン４を回収箱へ回収することが可能となる。なお、Ｓ１３において、有価価値情報の示す金銭価値がゼロでない場合、Ｓ３における有価価値情報の読み出し処理を終了する（Ｓ１３においてＮＯ）。
【００９２】
つぎに、図７におけるＳ５の玉貸時処理について、図９に基づいてさらに詳細に説明する。図９は、Ｓ５における玉貸時処理をさらに詳細に示したフローチャートである。
【００９３】
まず、制御部８０は、玉貸機２における玉貸動作が完了したか否かを判定する（Ｓ２１）。ここで、玉貸動作が完了していない場合（Ｓ２１においてＮＯ）、玉詰まり等のエラーを解消する処理が実行される（Ｓ２２）。
【００９４】
そして、玉貸動作が完了した場合（Ｓ２１においてＹＥＳ）、制御部８０は、玉貸した遊技玉数を検知し、この検知した情報に基づいて、記憶部８１に記憶されている有価価値情報を更新する（Ｓ２３）。さらに、制御部８０は、この更新した有価価値情報に基づき、送受信装置７０およびアンテナコイル４８を介して、ＩＣコイン４のＲＦ−ＩＤタグ５０に記録されている有価価値情報を更新する（Ｓ２４）。
【００９５】
また、制御部８０は、ＩＣコイン４の画像表示媒体４５に、更新した有価価値情報に基づく画像を書き込む処理を行う（Ｓ２５）。さらに、制御部８０は、更新した有価価値情報を解析し、この有価価値情報の示す金銭価値（残高）がゼロか否かを判定する（Ｓ２６）。ここで、金銭価値がゼロである場合（Ｓ２６においてＹＥＳ）、制御部８０はＩＣコイン回収処理を実行する（Ｓ２７）。なお、Ｓ２７におけるＩＣコイン回収処理は、Ｓ１４における処理と同様の処理が実行される。そして、Ｓ２６において、有価価値情報に示される金銭価値がゼロでない場合、玉貸時処理を終了する（Ｓ２６においてＮＯ）。
【００９６】
つぎに、図７におけるＳ７のＩＣコイン返却処理について、図１０に基づいてさらに詳細に説明する。図１０は、Ｓ７におけるＩＣコイン回収処理をさらに詳細に示したフローチャートである。
【００９７】
まず、制御部８０は、ソレノイド７３を駆動することにより、ストッパ６９を没入させる（Ｓ３１）。また、これと同時に、制御部８０は、ＩＣコイン４がＩＣコイン返却口７へ移動するように、通路６４におけるＩＣコイン４の移動経路を切り替える。これにより、ＩＣコイン４をＩＣコイン返却口７へ移動させることが可能となる。
【００９８】
そして、制御部８０は、返却センサ６６によりＩＣコイン４の返却を検知すると（Ｓ３３においてＹＥＳ）、ソレノイド７３を駆動することによりストッパ６９を突出させ（Ｓ３４）、ＩＣコイン返却処理を終了する。なお、制御部８０は、ＩＣコインの返却を検知しない場合（Ｓ３３においてＮＯ）、コイン詰まり等のエラーを解消する処理を行う（Ｓ３５）。
【００９９】
つぎに、図９で示したＳ２５における画像の書き込み処理について、図１１を用いてさらに詳細に説明する。図１１は、図９に示したＳ２５における画像の書き込み処理をさらに詳細に示したフローチャートである。
【０１００】
まず、制御部８０は、記憶部８１に記憶されている有価価値情報を読み出す（Ｓ４１）。つまり、制御部８０は、玉貸時処理において更新した有価価値情報を読み出すことになる。
【０１０１】
そして、制御部８０は、陽極端子４７・６７および陰極端子４６・６８を介して、電源供給装置７２から出力される電源電圧を画像表示媒体４５へ供給する（Ｓ４２）。さらに、制御部８０は、画像書込装置７１を駆動することにより、Ｓ４１にて読み出した有価価値情報に基づいた画像を画像表示媒体４５に書き込み（Ｓ４３）、画像の書き込み処理を終了する。
【０１０２】
以上の手順によれば、玉貸時の処理において有価価値情報を更新する度に、ＩＣコイン４におけるＲＦ−ＩＤタグ５０に記録される有価価値情報を更新すると共に、更新した有価価値情報に基づく画像を画像表示媒体４５に表示させている。これにより、ＩＣコイン４のＲＦ−ＩＤタグ５０に記録されている有価価値情報の内容と、ＩＣコイン４の画像表示媒体が表示する画像とは常に一致した状態になる。例えば、ＩＣコイン４のＲＦ−ＩＤタグ５０に記録されている有価価値情報の示す金銭価値が３０００円である場合、図１２に示すように、ＩＣコイン４の画像表示媒体４５には３０００円を示す画像が表示される。
【０１０３】
また、以上示した実施の形態によれば、ＩＣコイン４は片面画像表示（前カバー４１側から画像を視認できる）の構成であったが、両面表示とすることも可能である。この両面表示のＩＣコイン４ａを、図１３に基づいて説明する。なお、図１３において、図１と同一の構成要素については同一の参照符を使用する。そして、以下の説明では、図１と異なる箇所を中心に説明する。
【０１０４】
同図に示すように、ＩＣコイン（コイン型記録媒体）４ａは、互いに半径の等しい円盤状部材である前カバー４１、コイン本体４２ａ、後カバー４４ａが、この順序で重ねて形成される構成である。なお、同図においては、コイン本体４２ａが２つ示されているが、これは、コイン本体４２ａにおける一方の面と他方の面とを示したものであり、実際にはコイン本体４２ａは１つである。
【０１０５】
コイン本体４２ａにおける前カバー４１側の面、および側面は、図１におけるコイン本体４２と同様の構成である。しかし、コイン本体４２ａにおける後カバー４４ａ側の面には、リング状のアンテナコイル４８ａと、このアンテナコイル４８ａの内周に形成される画像表示媒体４５ａと、アンテナコイル４８ａ上に実装されるＲＦ−ＩＤタグ５０ａと、アンテナコイル４８ａの外周を一周するように形成される陰極端子４６ｂと、が形成されている。
【０１０６】
後カバー４４ａは、ＩＣコイン４ａの内部を保護するためのカバー部材であって、直径が後カバー４４ａよりも小さな円盤状の透明カバー５１ａと、透明カバー５１ａの外周を一周するように開口されている電極窓５４と、から構成されている。
【０１０７】
また、コイン本体４２ａにおける画像表示媒体４５ａおよび陰極端子４６ｂが形成されている側の面は、後カバー４４ａと対向配置されている。そして、後カバー４４ａにおいて、画像表示媒体（第二画像表示媒体）４５ａと対向する位置には透明カバー（透過性部材）５１ａが形成され、陰極端子４６ｂと対向する位置には電極窓５４が配されている。
【０１０８】
このＩＣコイン４ａによれば、表面（前カバー４１側の面）において、透明カバー５１を介して画像表示媒体４５を視認でき、かつ、裏面（後カバー４４側の面）において、透明カバー５１ａを介して画像表示媒体４５ａを視認することが可能となる。
【０１０９】
また、このような両面表示タイプのＩＣコイン４ａを用いれば、表面側から視認可能な画像表示媒体４５に有価価値情報に基づく画像を表示し、裏面側から視認可能な画像表示媒体４５ａにその他の情報を表示することが可能になる。例えば、図１４（ａ）に示すように、ＩＣコイン４ａにおける画像表示媒体４５に金銭情報を表示する一方で、図１４（ｂ）に示すように、ＩＣコイン４ａにおける画像表示媒体４５ａに店舗名を表示させても構わない。
【０１１０】
また、その他表示可能な情報としては、例えば、図１４（ｃ）に示すように、店舗のイベントに関する情報でもよいし、図１４（ｄ）に示すような絵柄であっても構わない。
【０１１１】
また、以上示した両面表示タイプのＩＣコイン４ａを記録媒体処理装置２０において処理する場合、有価価値情報に基づく画像の書き込みは、有価価値情報の更新の度に行うようにし、それ以外の画像の書き込みは、ＩＣコイン４ａの返却指示が返却スイッチ１０から入力された後、ＩＣコイン４の返却処理前に実行すればよい。
【０１１２】
また、以上示したＩＣコイン４または４ａにおいて、陽極端子４７が形成されている位置に陰極端子を形成し、陰極端子４６が形成されている位置に陽極端子を形成しても構わない。この場合、記録媒体処理装置２０において、陰極端子６８が配される位置には陽極端子が配され、陽極端子６７が配される位置には、陰極端子が配されることになる。
【０１１３】
また、本実施の形態では、画像表示媒体として上記のE-paperを使用しているが、これに限定されるものではなく、電圧が印加されることにより画像の書き込みが可能になる表示媒体であればいかなるものであっても構わない。例えば、ＩＣコイン４内において、表示部（７セグ）と、表示部を制御するチップと、表示した画像を保持する電池とを搭載する構成であっても構わない。この構成は、記録媒体処理装置２０から上記のチップへシリアル信号を送信し、表示部における予め番地指定された画素を点灯させて表示させるものである。
【０１１４】
〔実施の形態２〕
本発明の他の実施形態について図１５ないし図２０に基づいて説明すると以下の通りである。
【０１１５】
実施の形態１では、ＩＣコイン４の側面に陽極端子４７を形成し、ＩＣコイン４の表面および裏面に陰極端子４６を形成したが、本実施の形態では、ＩＣコインの表面の中心部に陽極端子を形成し、ＩＣコインの裏面の中心部に陰極端子を形成する構成について説明する。
（ＩＣコインの構成）
ここで、本実施の形態におけるＩＣコイン（コイン型記録媒体）１０４の構成を具体的に説明する。図１５（ａ）は、ＩＣコイン１０４の斜視図であって、図１５（ｂ）は、ＩＣコイン１０４の分解斜視図である。
【０１１６】
図１５（ｂ）に示すように、ＩＣコイン１０４は、互いに半径の等しい円盤状部材である前カバー１４１、コイン本体１４２、後カバー１４４が、この順序で重ねて形成される構成である。なお、同図においては、コイン本体１４２が２つ示されているが、これは、コイン本体１４２における一方の面と他方の面とを示したものであり、実際にはコイン本体１４２は１つである。
【０１１７】
コイン本体１４２には、その一方の面において、リング状に形成されている画像表示媒体１４５と、画像表示媒体１４５の内周に形成されると共にコイン本体１４２の中心部に形成される陰極端子１４７と、が形成されている。また、コイン本体１４２には、その他方の面において、リング状に形成されているアンテナコイル（送受信手段）１４８と、アンテナコイル１４８の内周であってコイン本体１４２の中心部に形成される陽極端子１４６と、アンテナコイル１４８上に実装されているＲＦ−ＩＤタグ（記録手段）１５０と、が形成されている。
【０１１８】
前カバー１４１は、ＩＣコイン１０４の内部を保護するためのカバー部材であって、リング状の透明カバー１５１と、透明カバー１５１の内周であって前カバー１４１の中心部を開口する電極窓１５３と、から構成されている。なお、以下では、ＩＣコイン１０４における前カバー１４１側の面をＩＣコイン４の表面とする。
【０１１９】
後カバー１４４は非透明の樹脂部材であって、ＩＣコイン１０４内部を保護するためのカバー部材である。また、この後カバー１４４には、中心部を開口する電極窓１５４が配されている。なお、以下では、ＩＣコイン１０４における後カバー１４４側の面をＩＣコイン１０４の裏面とする。
【０１２０】
また、コイン本体１４２における画像表示媒体１４５および陰極端子１４７が形成されている側の面は、前カバー１４１と対向配置されている。そして、前カバー１４１において、画像表示媒体（第一画像表示媒体、画像表示手段）１４５と対向する位置には透明カバー（透過性部材）１５１が形成され、陰極端子１４７と対向する位置には電極窓１５３が配されている。
【０１２１】
さらに、コイン本体１４２における陽極端子１４６が形成されている側の面は、後カバー１４４と対向配置されている。また、後カバー１４４において、陽極端子１４６と対向する位置に電極窓１５４が配されている。
【０１２２】
以上の構成において、図１５（ａ）に示すように、前カバー１４１、コイン本体１４２、後カバー１４４を重ね合わせてＩＣコイン１０４を形成すれば、ＩＣコイン１０４の表面（前カバー１４１側）の中心部において、電極窓１５３を介して陰極端子（第一タイプの電極、電圧入力手段）１４７が外部に露出される。また、ＩＣコイン１０４の裏面（後カバー１４４側の面）の中心部において、電極窓１５４を介して陽極端子（第二タイプの電極、電圧入力手段）１４６が外部に露出される。また、ＩＣコイン１０４の表面において、透明カバー１５１を介して外部から画像表示媒体１４５を視認できるようになる。このようなＩＣコイン１０４の画像表示媒体１４５に対し、有価価値情報に基づく画像を表示させると、図１９に示すようになる。
【０１２３】
また、以上示したＩＣコイン１０４は片面画像表示（前カバー１４１側から画像を視認できる）の構成であったが、両面表示とすることも可能である。この両面表示のＩＣコイン１０４ａを、図１６に基づいて説明する。なお、図１６において、図１５と同一の構成要素については同一の参照符を使用する。そして、以下の説明では、図１５と異なる箇所を中心に説明する。
【０１２４】
図１６（ｂ）に示すように、ＩＣコイン１０４ａは、互いに半径の等しい円盤状部材である前カバー１４１、コイン本体１４２ａ、後カバー１４４ａが、この順序で重ねて形成される構成である。
【０１２５】
コイン本体１４２ａの前カバー１４１側の面は、図１５におけるコイン本体１４２と同様の構成であるが、コイン本体１４２ａの後カバー１４４側の面には、リング状の画像表示媒体１４５ａと、この画像表示媒体１４５ａの内周に位置するリング状のアンテナコイル１４８ａと、アンテナコイル１４８ａの内周かつコイン本体１４２ａの中心部に位置する陽極端子１４６と、アンテナコイル上に実装されるＲＦ−ＩＤタグ１５０ａと、が構成されている。
【０１２６】
後カバー１４４ａは、ＩＣコイン１０４ａの内部を保護するためのカバー部材であって、リング状の透明カバー１５１ａと、透明カバー１５１ａの内周かつ後カバー１４４ａの中心部に開口されている電極窓１５４と、から構成されている。
【０１２７】
また、コイン本体１４２ａにおける画像表示媒体１４５ａおよび陽極端子１４６が形成されている側の面は、後カバー１４４ａと対向配置されている。そして、後カバー１４４ａにおいて、画像表示媒体（第二画像表示媒体）１４５ａと対向する位置には透明カバー（透過性部材）１５１ａが形成され、陽極端子１４６と対向する位置には電極窓１５４が配されている。
【０１２８】
以上の構成において、図１６（ａ）に示すように、前カバー１４１、コイン本体１４２ａ、後カバー１４４ａを重ね合わせてＩＣコイン１０４ａを形成すれば、ＩＣコイン１０４ａの表面（前カバー１４１側）の中心部において、電極窓１５３を介して陰極端子１４７が外部に露出される。また、ＩＣコイン１０４ａの裏面（後カバー１４４ａ側の面）の中心部において、電極窓１５４を介して陽極端子１４６が外部に露出される。
【０１２９】
さらに、ＩＣコイン１０４ａによれば、表面（前カバー１４１側の面）において、透明カバー１５１を介して画像表示媒体１４５を視認でき、かつ、裏面（後カバー１４４ａ側の面）において、透明カバー１５１ａを介して画像表示媒体１４５ａを視認することが可能となる。
【０１３０】
また、このような両面表示タイプのＩＣコイン１０４ａを用いれば、表面側から視認可能な画像表示媒体１４５に有価価値情報に基づく画像を表示し、裏面側から視認可能な画像表示媒体１４５ａにその他の情報を表示することが可能になる。例えば、図２０（ａ）に示すように、ＩＣコイン１０４ａにおける画像表示媒体１４５に金銭情報を表示する一方で、図２０（ｂ）に示すように、ＩＣコイン１０４ａにおける画像表示媒体１４５ａに店舗名を表示させても構わない。
【０１３１】
（記録媒体処理装置の構成）
つぎに、図１５で示したＩＣコイン１０４、または図１６で示したＩＣコイン１０４ａに対して適用される記録媒体処理装置２２０について説明する。
【０１３２】
図１７（ａ）は、この記録媒体処理装置２２０の外観を示した斜視図であり、図１７（ｂ）は、この記録媒体処理装置２２０の内部構成を示した分解斜視図である。記録媒体処理装置２２０は、図１７（ａ）に示すように、筐体１６１と筐体１６２とを重ね合わせて構成される。なお、図１７（ｂ）によれば、筐体１６２が２つ示されているが、これは、筐体１６２における一方の面と他方の面とを示したものであり、実際には筐体１６２は１つである。
【０１３３】
図１７（ｂ）に示すように、筐体１６２における筐体１６１側の面には、通路６４、投入センサ６５、返却センサ６６、電極端子１６７、ストッパ６９が構成されている。なお、通路６４、投入センサ６５、返却センサ６６、ストッパ６９については実施の形態１と同様であるため、その説明を省略する。また、筐体１６１における筐体１６２側の面には、電極端子１６８が備えられている。
【０１３４】
電極端子（電圧印加手段）１６７・１６８は、互いに対向配置されると共に、通路６４上に形成されている電圧印加用の端子であって、ＩＣコイン１０４が上記のＨＰに貯留する場合に、当該ＩＣコイン１０４の表面または裏面の中心部に接続する位置に備えられている。つまり、電極端子１６７がＩＣコイン１０４における陽極端子１４６と接触すれば、電極端子１６８がＩＣコイン１０４における陰極端子１４７と接触し、電極端子１６７がＩＣコイン１０４における陰極端子１４７と接触すれば、電極端子１６８がＩＣコイン１０４における陽極端子１４６と接触する。
【０１３５】
なお、電極端子１６７は、筐体１６２における筐体１６１と反対側の面に形成されている電源供給装置７２ａと接続されている。また、電極端子１６８は、筐体１６１に形成されている電源供給装置７２ｂと接続されている。
【０１３６】
ここで、上記の記録媒体処理装置２２０によれば、図示しないセンサによって、電極端子１６７と接触するＩＣコイン１０４の電極端子の極性を検知し、電極端子１６８と接触するＩＣコイン１０４の電極端子の極性を検知することとしている。そして、電源供給装置７２ａは、電極端子１６７と接触するＩＣコイン１０４の電極端子の極性と同一の極性の電圧を出力する。また、電源供給装置７２ｂは、電極端子１６８と接触するＩＣコイン１０４の電極端子の極性と同一の極性の電圧を出力する。
【０１３７】
これにより、ＩＣコイン１０４の陽極端子１４６が電極端子１６７と接触する場合、電極端子１６７は陽極の電圧を陽極端子１４６に供給し、ＩＣコイン１０４の陰極端子１４７が電極端子１６７と接触する場合、電極端子１６７は陰極の電圧を陰極端子１４７に供給できる。また、ＩＣコイン１０４の陽極端子１４６が電極端子１６８と接触する場合、電極端子１６８は陽極の電圧を陽極端子１４６に供給し、ＩＣコイン１０４の陰極端子１４７が電極端子１６８と接触する場合、電極端子１６８は陰極の電圧を陰極端子１４７に供給できる。
【０１３８】
以上示した構成の記録媒体処理装置２２０において、ＨＰにＩＣコイン１０４を貯留した場合、図１８に示すように、ＩＣコイン１０４は、ストッパ６９に支持されていると共に、表面および裏面の中心部が電極端子１６７・１６８に挟持される。
【０１３９】
ここで、ＩＣコイン１０４には表面の中心部および裏面の中心部のいずれにも電極が設けられていると共に、記録媒体処理装置２２０の電極端子１６７はＩＣコイン１０４の一方の面の中心部に接触する位置に設けられ、電極端子１６８はＩＣコイン１０４の他方の面の中心部に接触する位置に設けられている。したがって、ＨＰに貯留したＩＣコイン１０４の表面／裏面の方向に拘わらずＩＣコイン１０４に対して電圧を供給することができる。
【０１４０】
なお、以上示したＩＣコイン１０４または１０４ａにおいて、陽極端子１４６が形成されている位置に陰極端子を形成し、陰極端子１４７が形成されている位置に陽極端子を形成しても構わない。
【０１４１】
〔実施の形態３〕
本発明の他の実施形態について図２１ないし図２７に基づいて説明すると以下の通りである。
【０１４２】
本実施の形態では、ＩＣコインの側面の一方の半周に陽極端子を形成すると共に、他方の半周に陰極端子を形成する構成について説明する。
（ＩＣコインの構成）
ここで、本実施の形態におけるＩＣコイン２０４の構成を具体的に説明する。図２１（ａ）は、ＩＣコイン２０４の斜視図であって、図２１（ｂ）は、ＩＣコイン２０４の分解斜視図である。
【０１４３】
図２１（ｂ）に示すように、ＩＣコイン２０４は、互いに半径の等しい円盤状部材である前カバー２４１、コイン本体２４２、後カバー２４４が、この順序で重ねて形成される構成である。なお、同図においては、コイン本体２４２が２つ示されているが、これは、コイン本体２４２における一方の面と他方の面とを示したものであり、実際にはコイン本体２４２は１つである。
【０１４４】
コイン本体２４２には、その一方の面において、コイン本体２４２よりも直径の小さな円盤状の画像表示媒体（画像表示手段）２４５が形成されている。また、コイン本体２４２には、その他方の面において、コイン本体２４２よりも直径の小さな円盤状のアンテナコイル（送受信手段）２４８と、アンテナコイル２４８上に実装されるＲＦ−ＩＤタグ（記録手段）２５０と、が形成されている。
【０１４５】
また、コイン本体２４２の側面においては、一方の半周に陽極端子（第一タイプの電極、電圧入力手段）２４６が外部へ露出されるように形成され、他方の半周に陰極端子（第二タイプの電極、電圧入力手段）２４７が外部へ露出されるように形成されている。
【０１４６】
なお、コイン本体２４２におけるアンテナコイル２４８の裏側に金属体を備えてもよい。この場合、図２７に示すように、この金属体３００とアンテナコイル２４８との間において、高透磁率シート３０１および導電性金属３０２を備えれば、金属体３００を導入することによるアンテナコイル２４８の通信状態の劣化を抑制することが可能となる。
【０１４７】
前カバー２４１は、ＩＣコイン２０４の内部を保護するためのカバー部材であって、前カバー２４１よりも直径の小さな円盤状の透明カバー２５１が形成されている。なお、以下では、ＩＣコイン２０４における前カバー２４１側の面をＩＣコイン２０４の表面とする。
【０１４８】
後カバー２４４は非透明の樹脂部材であって、ＩＣコイン２０４内部を保護するためのカバー部材である。なお、以下では、ＩＣコイン２０４における後カバー２４４側の面をＩＣコイン２０４の裏面とする。
【０１４９】
また、コイン本体２４２における画像表示媒体２４５が形成されている側の面は、前カバー２４１と対向配置されている。そして、前カバー２４１において、画像表示媒体（第一画像表示媒体、画像表示手段）２４５と対向する位置には透明カバー（透過性部材）２５１が形成されている。
【０１５０】
以上の構成において、図２１（ａ）に示すように、前カバー２４１、コイン本体２４２、後カバー２４４を重ね合わせてＩＣコイン２０４を形成すれば、ＩＣコイン２０４の側面において、一方の半周に陰極端子２４７が露出し、他方の半周に陽極端子２４６が露出する。また、ＩＣコイン２０４の表面において、透明カバー２５１を介して外部から画像表示媒体２４５を視認できるようになる。このようなＩＣコイン２０４の画像表示媒体２４５に対し、有価価値情報に基づく画像を表示させると、図２５に示すようになる。
【０１５１】
また、以上示したＩＣコイン２０４は片面画像表示（前カバー２４１側から画像を視認できる）の構成であったが、両面表示とすることも可能である。この両面表示のＩＣコイン２０４ａを、図２２に基づいて説明する。なお、図２２において、図２１と同様の構成要素については同一の参照符を使用する。そして、以下の説明では、図２１と異なる箇所を中心に説明する。
【０１５２】
図２２（ａ）は、ＩＣコイン２０４ａの斜視図であって、図２２（ｂ）は、ＩＣコイン２０４ａの分解斜視図である。
【０１５３】
図２２（ｂ）に示すように、ＩＣコイン２０４ａは、互いに半径の等しい円盤状部材である前カバー２４１、コイン本体２４２ａ、後カバー２４４ａが、この順序で重ねて形成される構成である。
【０１５４】
コイン本体２４２ａにおける前カバー２４１側の面、および側面は、図２１におけるコイン本体２４２と同様の構成である。しかし、コイン本体２４２ａにおける後カバー２４４ａ側の面には、リング状のアンテナコイル２４８ａと、このアンテナコイル２４８ａの内周に位置する円盤状の画像表示媒体２４５ａと、アンテナコイル２４８ａ上に実装されるＲＦ−ＩＤタグ２５０ａと、が形成されている。
【０１５５】
後カバー２４４ａは、ＩＣコイン２０４ａの内部を保護するためのカバー部材であって、後カバー２４４ａよりも直径の小さな透明カバー２５１ａが形成されている。
【０１５６】
また、コイン本体２４２ａにおける画像表示媒体２４５ａが形成されている側の面は、後カバー２４４ａと対向配置されている。そして、後カバー２４４ａにおいて、画像表示媒体（第二画像表示媒体、画像表示手段）２４５ａと対向する位置には透明カバー（透過性部材）２５１ａが形成されている。
【０１５７】
以上の構成において、図２２（ａ）に示すように、前カバー２４１、コイン本体２４２ａ、後カバー２４４ａを重ね合わせてＩＣコイン２０４ａを形成すれば、ＩＣコイン２０４ａの側面において、一方の半周に陰極端子２４７が露出し、他方の半周に陽極端子２４６が露出する。また、ＩＣコイン２０４ａの表面において、透明カバー２５１を介して外部から画像表示媒体２４５を視認でき、かつ、ＩＣコイン２０４ａの裏面において、透明カバー２５１ａを介して外部から画像表示媒体２４５ａを視認できるようになる。
【０１５８】
また、このような両面表示タイプのＩＣコイン２０４ａを用いれば、表面側から視認可能な画像表示媒体２４５に有価価値情報に基づく画像を表示し、裏面側から視認可能な画像表示媒体２４５ａにその他の情報を表示することが可能になる。例えば、図２６（ａ）に示すように、ＩＣコイン２０４ａにおける画像表示媒体２４５に金銭情報を表示する一方で、図２６（ｂ）に示すように、ＩＣコイン２０４ａにおける画像表示媒体２４５ａに店舗名を表示させても構わない。また、図２６（ｃ）に示すように、ＩＣコイン２０４ａにおける画像表示媒体２４５ａに店舗のイベントに関する情報を表示させても構わない。
【０１５９】
（記録媒体処理装置の構成）
つぎに、図２１で示したＩＣコイン２０４、または図２２で示したＩＣコイン２０４ａに対して適用される記録媒体処理装置３２０について説明する。
【０１６０】
図２３（ａ）は、この記録媒体処理装置３２０の外観を示した斜視図であり、図２３（ｂ）は、この記録媒体処理装置３２０の内部構成を示した分解斜視図である。記録媒体処理装置３２０は、図２３（ａ）に示すように、筐体２６１と筐体２６２とを重ね合わせて構成される。
【０１６１】
図２３（ｂ）に示すように、筐体２６２における筐体２６１側の面には、通路６４、投入センサ６５、返却センサ６６、電極端子２６７・２６８、ストッパ６９が構成されている。なお、通路６４、投入センサ６５、返却センサ６６、ストッパ６９については実施の形態１と同様であるため、その説明を省略する。
【０１６２】
電極端子（電圧印加手段）２６７・２６８は、互いに対向配置されると共に、通路６４に形成されている電圧印加用の端子である。また、電極端子２６７・２６８は、ＩＣコイン１０４がＨＰに貯留する場合に、ＩＣコイン１０４の側面に接続する位置に形成されている。具体的には、ＩＣコイン１０４がＨＰに位置する場合、電極端子２６７と２６８とは、ＩＣコインの側面と接触しつつ、このＩＣコイン１０４を挟んで対向するように配置されている。具体的に、電極端子２６７がＩＣコイン１０４の側面に形成される陽極端子２４６と接触する場合、電極端子２６８はＩＣコイン１０４の側面に形成される陰極端子２４７と接触する位置に設けられ、電極端子２６７がＩＣコイン１０４の側面に形成される陰極端子２４７と接触する場合、電極端子２６８はＩＣコイン１０４の側面に形成される陽極端子２４６と接触する位置に設けられている。
【０１６３】
なお、電極端子２６７・２６８は、筐体２６２における筐体１６１と反対側の面に形成されている電源供給装置２７２と接続されている。
【０１６４】
ここで、上記の記録媒体処理装置３２０によれば、図示しないセンサによって、電極端子２６７と接触するＩＣコイン２０４の電極端子の極性を検知し、電極端子２６８と接触するＩＣコイン２０４の電極端子の極性を検知している。そして、電源供給装置２７２は、この検知結果に応じて、内部回路を切り換えることにより、電極端子２６７に対して、電極端子２６７と接触するＩＣコイン２０４の電極端子の極性と同一の極性の電圧を供給する。また、電源供給装置２７２は、この検知結果に応じて、内部回路を切り換えることにより、電極端子２６８に対して、電極端子２６８と接触するＩＣコイン２０４の電極端子の極性と同一の極性の電圧を供給する。
【０１６５】
これにより、ＩＣコイン２０４の陽極端子２４６が電極端子２６７と接触する場合、電極端子２６７は陽極の電圧を陽極端子２４６に供給し、ＩＣコイン１０４の陰極端子２４７が電極端子２６７と接触する場合、電極端子２６７は陰極の電圧を陰極端子２４７に供給できる。また、ＩＣコイン２０４の陽極端子２４６が電極端子２６８と接触する場合、電極端子２６８は陽極の電圧を陽極端子２４６に供給し、ＩＣコイン２０４の陰極端子２４７が電極端子２６８と接触する場合、電極端子２６８は陰極の電圧を陰極端子２４７に供給できる。
【０１６６】
以上示した構成の記録媒体処理装置３２０において、ＨＰにＩＣコイン２０４を貯留した場合、図２４に示すように、ＩＣコイン２０４は、ストッパ６９に支持されていると共に、その側面が、互いに対向配置される電極端子２６７・２６８に挟持される。
【０１６７】
ここで、ＩＣコイン２０４の側面には、一方の半周に陽極端子２４６が形成され、他方の半周に陰極端子２４７が形成されている。また、電極端子２６７・２６８は、ＨＰに貯留されるＩＣコイン２０４の直径を挟んで、ＩＣコイン２０４の側面と接触している。したがって、ＨＰに貯留したＩＣコイン２０４の回転方向に拘わらず、陽極端子２４６は、電極端子２６７・２６８のいずれかと接触し、陰極端子２４７は、電極端子２６７・２６８のいずれかと接触することとなる。
【０１６８】
本発明は上述した各実施形態に限定されるものではなく、請求項に示した範囲で種々の変更が可能であり、上述した各実施形態において開示された各技術的手段を適宜組み合わせて得られる実施形態についても本発明の技術的範囲に含まれる。
【産業上の利用可能性】
【０１６９】
本発明は、遊技機などに用いられるコイン形状の記録媒体、およびこの記録媒体との間で情報の送受信を行う記録媒体処理装置に関するものであり、パチンコ台やスロット台などの遊技機、ゲームセンタ等におけるゲーム機に適用することができる。
【図面の簡単な説明】
【０１７０】
【図１】本発明の一実施形態における片面表示タイプのＩＣコインの分解斜視図である。
【図２】本発明の一実施形態における玉貸機およびパチンコ台の構成を示す正面概略図である。
【図３】本発明の一実施形態におけるＩＣコインおよび記録媒体処理装置の斜視図である。
【図４】図３に示した記録媒体処理装置の分解斜視図である。
【図５】図３に示した記録媒体処理装置の内部構成を示した図であって、ＩＣコインをＨＰで貯留している様子を示した斜視図である。
【図６】図５に示した記録媒体処理装置およびＩＣコインの各構成要素を示した機能ブロック図である。
【図７】本発明の一実施形態におけるパチンコ遊技サービスの全体処理を示したフローチャートである。
【図８】図７で示した有価価値情報の読み出し処理をさらに詳細に示したフローチャートである。
【図９】図７で示した玉貸時処理をさらに詳細に示したフローチャートである。
【図１０】図７で示したＩＣコイン返却処理をさらに詳細に示したフローチャートである。
【図１１】図９で示した画像の書き込み処理をさらに詳細に示したフローチャートである。
【図１２】図１で示したＩＣコインに表示される画像を示した図である。
【図１３】本発明の一実施形態における両面表示タイプのＩＣコインの分解斜視図である。
【図１４】図１３で示したＩＣコインに表示される画像を示した図であって、（ａ）は金銭情報を表示した場合の図であって、（ｂ）は店舗名を示す画像を表示した場合の図であって、（ｃ）は店舗のイベントに関する情報を表示した場合の図であって、（ｄ）は、絵柄を表示した場合の図である。
【図１５】本発明の他の実施形態に係る片面表示タイプのＩＣコインを示した図であって、（ａ）は、このＩＣコインの斜視図であり、（ｂ）は、このＩＣコインの分解斜視図である。
【図１６】本発明の他の実施形態に係る両面表示タイプのＩＣコインを示した図であって、（ａ）は、このＩＣコインの斜視図であり、（ｂ）は、このＩＣコインの分解斜視図である。
【図１７】本発明の他の実施形態に係る記録媒体処理装置を示した図であって、（ａ）はこの記録媒体処理装置の外観図、（ｂ）はこの記録媒体処理装置の分解斜視図である。
【図１８】図１７に示した記録媒体処理装置であって、ＩＣコインをＨＰに貯留した記録媒体処理装置の内部構成を示した斜視図である。
【図１９】図１５で示したＩＣコインに表示される画像を示した図である。
【図２０】図１６で示したＩＣコインに表示される画像を示した図であり、（ａ）は金銭情報を表示した場合の図であって、（ｂ）は店舗名を示す画像を表示した場合の図である。
【図２１】本発明のさらに他の実施形態に係る片面表示タイプのＩＣコインを示した図であって、（ａ）は、このＩＣコインの斜視図であり、（ｂ）は、このＩＣコインの分解斜視図である。
【図２２】本発明のさらに他の実施形態に係る両面表示タイプのＩＣコインを示した図であって、（ａ）は、このＩＣコインの斜視図であり、（ｂ）は、このＩＣコインの分解斜視図である。
【図２３】本発明のさらに他の実施形態に係る記録媒体処理装置を示した図であって、（ａ）はこの記録媒体処理装置の外観図、（ｂ）はこの記録媒体処理装置の分解斜視図である。
【図２４】図２３に示した記録媒体処理装置であって、ＩＣコインをＨＰに貯留した記録媒体処理装置の内部構成を示した斜視図である。
【図２５】図２１で示したＩＣコインに表示される画像を示した図である。
【図２６】図２２で示したＩＣコインに表示される画像を示した図であり、（ａ）は金銭情報を表示した場合の図であって、（ｂ）は店舗名を示す画像を表示した場合の図であって、（ｃ）は店舗のイベントに関する情報を表示した場合の図である。
【図２７】図２１で示したＩＣコインの構成要素であるコイン本体を示す断面図である。
【符号の説明】
【０１７１】
４・４ａ      ＩＣコイン(コイン型記録媒体)
２０    記録媒体処理装置
４１    前カバー
４２・４２ａ    コイン本体
４４・４４ａ    後カバー
４５・４５ａ    画像表示媒体（画像表示手段）
４６ａ・４６ｂ  陰極端子（電圧入力手段、第一タイプの電極）
４７    陽極端子（電圧入力手段、第二タイプの電極）
４８・４８ａ    アンテナコイル（送受信手段）
５０    ＲＦ−ＩＤタグ（記録手段）
５１・５１ａ    透明カバー（透過性部材）
５３／５４      電極窓
６７    陽極端子（電圧印加手段）
６８    陰極端子（電圧印加手段）
６９    通路（格納部）
７０    送受信装置
７１ａ・７１ｂ  画像書込装置（画像書き込み手段）
１０４・１０４ａ  ＩＣコイン（コイン型記録媒体）
１４１    前カバー
１４２・１４２ａ  コイン本体
１４４・１４４ａ  後カバー
１４５・１４５ａ  画像表示媒体（画像表示手段）
１４６    陽極端子（電圧入力手段、第二タイプの電極）
１４７    陰極端子（電圧入力手段、第一タイプの電極）
１４８・１４８ａ  アンテナコイル（送受信手段）
１５０・１５０ａ  ＲＦ−ＩＤタグ（記録手段）
１５１・１５１ａ  透明カバー（透過性部材）
１５３・１５４    電極窓
１６７・１６８    電極端子（電圧印加手段）
２０４・２０４ａ  ＩＣコイン（コイン型記録媒体）
２２０    記録媒体処理装置
２４１    前カバー
２４２・２４２ａ  コイン本体
２４４・２４４ａ  後カバー
２４５・２４５ａ  画像表示媒体（画像表示手段）
２４６    陽極端子（電圧入力手段、第一タイプの電極）
２４７    陰極端子（電圧入力手段、第二タイプの電極）
２４８・２４８ａ  アンテナコイル（送受信手段）
２５０・２５０ａ  ＲＦ−ＩＤタグ（記録手段）
２５１・２５１ａ  透明カバー（透過性部材）
２６７・２６８    電極端子（電圧印加手段）
３２０    記録媒体処理装置
【図１】
2005349039.tif 000003
【図２】
2005349039.tif 000004
【図３】
2005349039.tif 000005
【図４】
2005349039.tif 000006
【図５】
2005349039.tif 000007
【図６】
2005349039.tif 000008
【図７】
2005349039.tif 000009
【図８】
2005349039.tif 000010
【図９】
2005349039.tif 000011
【図１０】
2005349039.tif 000012
【図１１】
2005349039.tif 000013
【図１２】
2005349039.tif 000014
【図１３】
2005349039.tif 000015
【図１４】
2005349039.tif 000016
【図１５】
2005349039.tif 000017
【図１６】
2005349039.tif 000018
【図１７】
2005349039.tif 000019
【図１８】
2005349039.tif 000020
【図１９】
2005349039.tif 000021
【図２０】
2005349039.tif 000022
【図２１】
2005349039.tif 000023
【図２２】
2005349039.tif 000024
【図２３】
2005349039.tif 000025
【図２４】
2005349039.tif 000026
【図２５】
2005349039.tif 000027
【図２６】
2005349039.tif 000028
【図２７】
2005349039.tif 000029